【事件の表示】
　特許第３０５０９９９号「カラーイメージセンサ」の請求項３、４に係る特許に対する特許異議の申立てについて、次のとおり決定する。
【結　論】
　訂正を認める。
　特許第３０５０９９９号の請求項３ないし４に係る特許を維持する。
【理　由】
１．手続の経緯
　特許第３０５０９９９号に係る発明についての出願は、平成４年１０月７日の特許出願であって、平成１２年３月３１日にその発明について特許の設定登録がなされ、その後、その特許請求の範囲における請求項３及び４に係る発明について異議申立人金子和弘より特許異議の申立てがなされ、取消理由通知がなされ、その指定期間内である平成１３年６月１１日に訂正請求がなされたものである。
　
２．訂正の適否について
（１）訂正の内容
　平成１３年６月１１日付けの訂正請求書による訂正事項は、
　ア．特許請求の範囲における請求項３の
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の少なくとも一部に、光ガイド内部の光を光出射面方向に反射させる反射鏡が設けられたことを特徴とするカラーイメージセンサ。」
を、特許請求の範囲の減縮を目的として、
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。」
と訂正し、
　
イ．特許請求の範囲における請求項４の
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の一部が、光出射面から出る光を指向させる集光体となっていることを特徴とするカラーイメージセンサ。」
を、特許請求の範囲の減縮を目的として、
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の一部が、光出射面から出る光を指向させる集光体となっており、前記光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。」
と訂正し、
　
ウ．訂正事項アに伴い、特許請求の範囲の記載と発明の詳細な説明の記載との整合をとるため、明りようでない記載の釈明を目的として、明細書の段落【００２０】を、
　「また、光ガイドの表面に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にするものである。」
と訂正し、
　
エ．訂正事項イに伴い、特許請求の範囲の記載と発明の詳細な説明の記載との整合をとるため、明りようでない記載の釈明を目的として、明細書の段落【００２１】を、
　「また、光ガイドの表面の一部が、光出射面から出る光を指向させる集光体となっており、前記光ガイドの表面の少なくとも一部に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にするものである。」
と訂正するものである。
　　
（２）訂正の目的の適否、新規事項の有無及び拡張・変更の存否
　上記訂正事項ア及びイは、願書に添付した明細書に記載された事項の範囲内において訂正するものであり、特許請求の範囲の減縮に該当する。
　
　上記訂正事項ウ及びエは、誤記の訂正及び明瞭でない記載の釈明を目的として、願書に添付した明細書に記載された事項の範囲内において訂正するものであり、新規事項の追加に該当しない。
　そして、上記訂正は、実質上特許請求の範囲を拡張し、変更するものでもない。
　
（３）以上のとおりであるから、上記訂正は、特許法第１２０条の４第２項及び同３項において準用する同法第１２６条第２項及び同第３項の規定に適合するので、当該訂正を認める。
　
３．特許異議の申立てについて
（１）申立の理由の概要
　異議申立人金子和弘は、証拠として
(i)甲第１号証（特開平３−１０４６１号公報）
(ii)甲第２号証（実公昭６３−２０１３２号公報
(iii)甲第３号証（実願昭６１−１７２７０５号（実開昭６３−８１４５６号）の願書に添付した明細書及び図面の内容を撮影したマイクロフィルム）
(iv)甲第４号証（実願平３−４８９８号（実開平４−１０３０６５号）の願書に添付した明細書及び図面の内容を撮影したマイクロフィルム）
を提出し、
　本件請求項３に係る発明は、甲第１号証に記載された発明であるから、特許法第２９条１項第３号の規定により特許を受けることができないものであり、本件請求項３に係る発明の特許を取消すべき旨主張し、
　本件請求項４に係る発明は、甲第２号証または甲第３号証に記載された発明であるから、特許法第２９条第１項第３号の規定により特許を受けることができないものであり、また、本件請求項４に係る発明は、甲第１号証、甲第３号証、及び甲第４号証に記載された発明に基いて当業者が容易に発明をすることができたものであるから、特許法第２９条第２項の規定により特許を受けることができないものであり、本件請求項４に係る発明の特許を取消すべき旨主張している。
　
（２）本件発明
　平成１３年６月１１日付けで提出された訂正明細書の請求項３及び４に係る発明は、その特許請求の範囲の請求項３及び４に記載された次のとおりのものである。
　
【請求項３】個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。
【請求項４】個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれの光を一つの光出射面に導く透光性媒質からなる光ガイドが設けられ、
　該光ガイドの表面の一部が、光出射面から出る光を指向させる集光体となっており、前記光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。
　
４．異議申立人が提示した各号証記載の発明
（１）特開平３−１０４６１号公報（甲第１号証）には、以下の事項が記載されている。
　
（ア）「第１図に最初の実施例をしめす。反射原稿用の読み取り部１６は、それぞれ赤、青、緑の光源１１，１２，１３と集束性光ファイバアレイよりなる結像レンズ１４、光電変換素子１５を有し、矢印の方向に移動して原稿を読み取る。
　一方透過原稿２５の場合は、透過用照明装置２０により照明され結像レンズ１４より光電変換素子１５に導かれる。照明装置２０は、それぞれ赤、青、緑の光源１７，１８，１９が第１の導光部材２１，２２，２３と相対して配置されている。各導光部材は一方の端面が、光源側から垂直に入ってきた光が全反射を起こす角度に加工してあり、これにより各光源からの光を第２の導光部材２４に導く。上記第２の導光部材２４は、上記第１の導光部材３枚を合わせたとほぼ同じ厚みをもつ。又、第２の導光部材２４の反対側の端面２７は、上記第１の導光部材からきた光が全反射を起こすような角度に加工されており、かつ上記反射面で完全拡散するよう表面処理を施してある。上記第１の導光部材から入ってきた光は上記端面で拡散し透過原稿２５に出射される。又、透過用照明装置２０は上記光の出射部が、読み取り部１６の光軸上にくるよう同期して第１図の矢印方向に移動して原稿を読み取る。
　上記導光部材１，２は、透明な材料例えば、硝子、アクリル系樹脂、ポリカーボ系樹脂等が使用できる。（第２頁左下欄第８行〜同頁右下欄第１３）
　
（２）実公昭６３−２０１３２号公報（甲第２号証）には、以下の事項が記載されている。
　
（ア）「従来からファクシミリ用光源としては、蛍光灯や単色発光ダイオードを利用したライン状光源を使用して原稿面を照射し、その反射光をセンサで受けて光電変換する手段が用いられている。」（第１頁左下欄第１３〜１６行）
　
（イ）「第１図は本考案の多色発光ライン状光源の実施例であって、符号１は発光ダイオード及び限流抵抗を実装したプリント基板、２は発光ダイオードから放出された光を効率良く前面に出すための反射枠、３は発光ダイオードより出た光をライン状に集光するための棒状レンズ、Ｌは集光されライン状になっている光の状態を示す。Ｐは読み取り原稿である。」（第１頁右下段第１９行〜第２頁左上欄第３行）
　
（ウ）「第３図ａは、第１図のＡ−Ａ′線による断面図を示し、図中、４はＡ色発光ダイオード（たとえば赤色発光）、５はＢ色発光ダイオード（たとえば緑色発光）であり、それらの発光ダイオード４，５は一直線上に交互に配置されている。（第２頁左上欄第７〜１１行）
　　　　　　　　　　　　　　　　　　　　　　
（３）実願昭６１−１７２７０５号（実開昭６３−８１４５６号）の願書に添付した明細書及び図面の内容を撮影したマイクロフィルム（甲第３号証）には、以下の事項が記載されている。
　
（ア）「石英等の透明材料の円柱状ロッド（２）」（第６頁第１行）
　
（イ）「ロッド（２）に入射した光束は、第２図に点線で示すように、外周面で全反射を繰り返して、末端まで導かれ、平面鏡（６）により再びロッド（２）の内部に反射される。
　この際、乱反射層（３）以外の部位に到達した光束は、ロッド（２）の滑らかな内周面で全反射をするが、乱反射層（３）が形成されている線条領域に到達した光束は、乱反射をする。この乱反射をした光束のうち、ロッド（２）の周面に対して臨界角以上の角度で入射する光束は、ロッドの周面で全反射を反復し、再び乱反射層（３）に当たるまで、ロッド（２）内を回転する。一方、ロッド（２）の周面に対して臨界角以下の角度で入射する光束は、周面で屈折して外方へ向かって放射されるため、結局、ロッド（２）からは、その全長にわたってほぼ一様な光量の扁平な光束が放射される。
　ライトガイド（４）の他端は３本に分岐し、分岐した各枝の先端は、それぞれ光束入射端（７ｒ）（７ｇ）（７ｂ）を形成する。これらの光束入射端（７ｒ）（７ｇ）（７ｂ）に対向して、それぞれ光源ランプ（８ｒ）（８ｇ）（８ｂ）を配置し、それらが射出する光束は、集光レンズ（９ｒ）（９ｇ）（９ｂ）を介して、対応する光束入射端（７ｒ）（７ｇ）（７ｂ）に入射する。」（第７頁第５行〜第８頁第７行）
　
（ウ）「複数個の光電変換素子を線条に列設した光電装置（１２）、たとえばＣＣＤラインセンサの受光面に結像する。」（第１０頁第１０〜１２行）
　
（４）実願平３−４８９８号（実開平４−１０３０６５号）の願書に添付した明細書及び図面の内容を撮影したマイクロフィルム（甲第４号証）には、以下の事項が記載されている。
　
（ア）「原稿読み取り装置やライン状検査装置等のライン状光源としては、」（第１頁第８行）
　
（イ）「発光部１は、ライン発光部１ａ、１ｂからなる。」（第２頁第１５行）
　
（ウ）「導光体２は、発光部１からの光が入射されるように入射端が近接してある。導光体２は、樹脂、ガラス等の透明材料を用いればよく、ここでは透明樹脂板を基板とし、この基板の屈折率より低い樹脂を基板表面に塗布したものを用いてある。導光体２では、入射された光を内部でミキシングし出射端まで導光する。導光体２の出射端では、レンズ面とした集光部２ａが形成してある。なお、同図において集光部は、そのレンズが導光体の巾より大きい径を有しており導光体より突出している例を示したが、図２に示すように導光体の巾の略等しい径を有するようにしてもよい。この集光部２ａによって、導光体２からは、集光した光が出射される。」（第２頁第２３行〜第３頁第２行）
　
（エ）「【考案の効果】本考案のライン状光源装置は、複数本のライン光源の配列によって形成した発光部と、その光をミキシングしたのち集光して出射する導光部によって、均一で明るい光を出射することができる。」（第３頁第１４〜７行）
　
５．対比・判断
　請求項３及び４に係る発明と刊行物１乃至４に記載された発明とを対比すると、
　刊行物１乃至４に記載された発明はいずれも、請求項３及び４に記載された発明の要件である「該光ガイドの表面の少なくとも一部に、光ガイド内部の光を光出射面方向に反射させる反射鏡が設けられ、前記光ガイド及び前記反射鏡により前記原稿面への三原色の照明光の拡散を抑えて、前記原稿面における前記三原色の照明光の照射位置を同一にする」ことについて開示も示唆もしない。
　そして、請求項３及び４に係る発明は、上記要件を有することにより、明細書記載の効果を奏するものであるから、請求項３及び４に係る発明は、刊行物１乃至４に記載された発明であるとも、刊行物１乃至４に記載された発明に基いて当業者が容易に発明をすることができた発明であるともいえない。
　
６．むすび
　以上のとおりであるから、特許異議申立の理由及び証拠によっては、本件請求項３及び４に係る発明の特許を取り消すことができない。
　また、他に本件請求項３及び４に係る発明の特許を取り消すべき理由を発見しない。
　
　よって、結論のとおり審決する。
【異議決定日】
平成１３年１１月１９日（２００１．１１．１９）
【訂正の要旨】
　訂正の要旨
（１）訂正事項ａ
　特許請求の範囲の減縮を目的として、特許請求の範囲の請求項３を、
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれ光を一つの光出射面に導く透光性媒質からなる光ガイドが設けられ、
　該光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。」
と訂正する。
（２）訂正事項ｂ
　特許請求の範囲の減縮を目的として、特許請求の範囲の請求項４を、
　「個別の三原色光源からそれぞれ発せられる光を原稿に照射し、光が照射された領域の原稿の像を光電変換素子上に結像するカラーイメージセンサにおいて、
　三原色光源から発せられるそれぞれの光を同一の角度で原稿面の所定の領域に照射するよう導く導光手段を備え、
　該導光手段に、三原色光源から発せられるそれぞれ光を一つの光出射面に導く透光性媒質からなる光ガイドが設けられ、
　該光ガイドの表面の一部が、光出射面から出る光を指向させる集光体となっており、
　前記光ガイドの表面の少なくとも一部に、光ガイド内部の光を光出射面方向に反射させる反射鏡が設けられ、
　前記光ガイド及び前記反射鏡により前記原稿面への三原色の照明光の拡散を抑えて、前記原稿面上における前記三原色の照明光の照射位置を同一にすることを特徴とするカラーイメージセンサ。」
と訂正する。
（３）訂正事項ｃ
　訂正事項ａに伴い、特許請求の範囲の記載と発明の詳細な説明との整合をとるため、明りようでない記載の釈明を目的として、明細書の段落【００２０】を、
　「また、光ガイドの表面に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にするものである。」
と訂正する。
（４）訂正事項ｄ
　訂正事項ｂに伴い、特許請求の範囲の記載と発明の詳細な説明との整合をとるため、明りようでない記載の釈明を目的として、明細書の段落【００２１】を、
　「また、光ガイドの表面の一部が、光出射面から出る光を指向させる集光体となっており、前記光ガイドの表面の少なくとも一部に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にするものである。」
と訂正する。
（５４）【発明の名称】
カラーイメージセンサ
（５７）【特許請求の範囲】
　【請求項１】　個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備え、該導光手段に、三原色光源から発せられるそれぞれ光を一つの光出射面に導く透光性媒質からなる光ガイドが設けられ、該光ガイドの光入射面あるいは光出射面のうちの少なくとも一つの表面上に、特定の波長帯域の光を透過，吸収あるいは反射する特性を有する光学フィルタが設けられたことを特徴とするカラーイメージセンサ。
　【請求項２】　個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備え、該導光手段に、三原色光源から発せられるそれぞれ光を一つの光出射面に導く透光性媒質からなる光ガイドが設けられ、該光ガイドの一部もしくは全体を特定の波長領域の光を吸収する特性を有する材料にて形成したことを特徴とするカラーイメージセンサ。
　【請求項３】　個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備え、該導光手段に、三原色光源から発せられるそれぞれ光を一つの光出射面に導く透光性媒質からなる光ガイドが設けられ、該光ガイドの表面の少なくとも一部に、光ガイド内部の光を光出射面方向に反射させる反射鏡が設けられ
、前記光ガイド及び前記反射鏡により前記原稿面への三原色の照明光の拡散を抑えて、前記原稿面上における前記三原色の照明光の照射位置を同一にする
　【請求項４】　個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備え、該導光手段に、三原色光源から発せられるそれぞれ光を一つの光出射面に導く透光性媒質からなる光ガイドが設けられ、該光ガイドの表面の一部が、光出射面から出る光を指向させる集光体となって
おり、前記光ガイドの表面の少なくとも一部に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にする
　【請求項５】　個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備え、該導光手段に、三原色光源から発せられるそれぞれ光を一つの光出射面に導く透光性媒質からなる光ガイドが設けられ、該光ガイドの光入射面あるいは光出射面のうちの少なくとも一つの表面上に、光の透過位置によって透過率の異なる光学フィルタが設けられたことを特徴とするカラーイメージセンサ。
【発明の詳細な説明】
　【０００１】
　【産業上の利用分野】
　本発明は、例えば、テキストあるいは画像のカラー原稿情報を一連の電気信号に変換入力するカラーイメージセンサに関するものであり、特にワークステーション等の情報機器に接続され、カラー原稿の読み取りを行うカラーイメージスキャナに好適なものである。
　【０００２】
　【従来の技術】
　一般にカラーイメージセンサは、個別の三原色光源から発せられる光を時分割的に原稿上に照射し、それぞれの光に対する原稿の明暗分布像を光電変換素子上に結像することによって、この像の電気信号化入力を行う形式のイメージスキャナに用いられている。
　【０００３】
　従来のカラーイメージセンサは、図１３の如く、読み取り原稿１を照明する赤色，緑色，青色の三原色照明光の光源として、読み取り原稿１の最大幅に適応する長さの発光部を有する三本の円筒型蛍光管２Ｒ，２Ｇ，２Ｂを備えている。
　【０００４】
　この蛍光管２Ｒ，２Ｇ，２Ｂは、反射型原稿を読み取る場合には、透明ガラス製の原稿ステージ３の裏側の図１３に示す実線の位置に、透過型原稿を読み取る場合には、原稿ステージ３上に密着して載置された読み取り原稿１の上方の図１３に示す点線の位置に設置されている。
　【０００５】
　各蛍光管２Ｒ，２Ｇ，２Ｂの読み取り原稿に対向する側には、赤色，緑色，青色の波長帯域の光を透過する特性を有する光学フィルタ４Ｒ，４Ｇ，４Ｂが取り付けられている。
　【０００６】
　また、蛍光管２Ｒ，２Ｇ，２Ｂの光学フィルタ４Ｒ，４Ｇ，４Ｂが取り付けられている光取り出し方向以外の表面には、黒色の遮光性テープ５が張り付けられており、光学フィルタ４Ｒ，４Ｇ，４Ｂを透過しない光が外部へ発せられるのを抑えている。
　【０００７】
　これら三本の蛍光管２Ｒ，２Ｇ，２Ｂおよび光学フィルタ４Ｒ，４Ｇ，４Ｂは、それぞれの蛍光管２Ｒ，２Ｇ，２Ｂから発せられる三原色光が原稿ステージ３上に密着して載置された読み取り原稿１のライン状の読み取り領域にそれぞれ所定の光量を得られるよう設置されている。
　【０００８】
　また、蛍光管２Ｒ，２Ｇ，２Ｂから発せられる照射光は、それぞれ図２に実線で示した発光波長を有し、光学フィルタ４Ｒ，４Ｇ，４Ｂは、それぞれ図２に二点鎖線で示した赤色，緑色，青色の波長帯域の光を透過する波長透過特性を有する。
　【０００９】
　このため、蛍光管２Ｒ，２Ｇ，２Ｂから発せられる光がそれぞれに対応する光学フィルタ４Ｒ，４Ｇ，４Ｂを透過することにより、可視光波長域において図３に示すような波長特性を有するカラーイメージ像の読み取りに必要な三原色の照明光が得られる。
　【００１０】
　この三原色の照明光によって照明された読み取り原稿１のライン領域の濃淡像は、原稿像ミラー６ａ〜６ｃを経て可視光透過光学フィルター７を透過した後、結像レンズセット８によってラインＣＣＤ等のライン光電変換素子９上に結像される。可視光透過光学フィルタ７は、図２に点線で示した波長透過特性を有しており、可視光以外の光の光電変換素子９への入射を低減する。
　【００１１】
　なお、三本の蛍光管２Ｒ，２Ｇ，２Ｂは、高周波点灯回路によって順次点灯が繰り返され、図４に示すタイミングで高速に点灯が切り替えられており、光電変換素子９は、各光源の点灯に同期して三原色照明における原稿１のライン領域の濃淡像データの取り込みを行う。
　【００１２】
　そして、原稿１の載置された原稿ステージ３を、蛍光管２Ｒ，２Ｇ，２Ｂの点灯周期と比較してゆっくりとした一定の速度で走査方向（図１３のＸ方向）へ移動させ、ライン領域の濃淡像を繰り返し光電変換素子９に入力することにより、二次元原稿の読み取りを行う。
　【００１３】
　【発明が解決しようとする課題】
　従来のカラーイメージセンサにおいては、読み取り原稿１に対して照射される三色の照明光の照射角度が異なる。このため、図１４の如く、原稿ステージ３上の原稿１に折り目や綴じ目等によって原稿ステージ３に密着しない部分があると、この原稿１の読み取りを行うとき、原稿ステージ３に密着しない部分において三色の照明光の照射位置にずれが生じ、読み取りの対象となるライン領域において各照明光に対して予め設定されている光量バランスが崩れ、入力像に色ずれを生じる欠点があった。
　【００１４】
　本発明は、上記に鑑み、三色の照明光を同一の角度で原稿に照射するカラーイメージセンサを提供する。
　【００１５】
　【課題を解決するための手段】
　本発明による課題解決手段は、個別の三原色光源からそれぞれ発せられる光を原稿に照射し、光が照射された領域の原稿の像を光電変換素子上に結像するカラーイメージセンサにおいて、三原色光源から発せられるそれぞれの光を同一の角度で原稿面の所定の領域に照射するよう導く導光手段を備えたものである。
　【００１６】
　導光手段に、三原色光源から発せられる各光を光出射面に導く透光性媒質からなる光ガイドが設けられている。
　【００１７】
　【００１８】
　そして、光ガイドの光入射面あるいは光出射面に、特定の波長帯域の光を透過，吸収あるいは反射する特性を有する光学フィルタが設けられたものである。
　【００１９】
　また、光ガイドの一部もしくは全体を特定の波長領域の光を吸収する特性を有する材料にて形成したものである。
　【００２０】
　また、光ガイドの表面に、光ガイド内部の光を光出射面方向に反射させる反射鏡が設けられ
、前記光ガイド及び前記反射鏡により前記原稿面への三原色の照明光の拡散を抑えて、前記原稿面上における前記三原色の照明光の照射位置を同一にする
　【００２１】
　また、光ガイドの表面の一部が、光出射面から出る光を指向させる集光体となって
おり、前記光ガイドの表面の少なくとも一部に、光ガイド内部の光を光出射面方向に反射させる反射鏡が設けられ、前記光ガイド及び前記反射鏡により前記原稿面への三原色の照明光の拡散を抑えて、前記原稿面上における前記三原色の照明光の照射位置を同一にするものである
　【００２２】
　また、光ガイドの光入射面あるいは光出射面に、光の透過位置によって透過率の異なる光学フィルタが設けられたものである。
　【００２３】
　【００２４】
　【作用】
　上記課題解決手段において、導光手段に光ガイドを用いる場合、個別の光源から発せられたそれぞれの照射光は、透光性媒質で形成された光ガイド内部に入射する。このとき、各照射光は、光ガイドに設けられた各種光学フィルタにより、その波長帯域が選択されて赤，緑，青色の発光波長特性を有するカラーイメージ像の読み取りに適した照明光となる。
　【００２５】
　この照明光は、光ガイドの透明壁面あるいは光ガイドに設けられた反射鏡によって反射することにより、ガイド内部に閉じ込められ、光ガイド内部を伝搬して進行方向に整合される。そして、各照明光は、集光体により指向性が高められて、出射面から同じ角度にて出射され、原稿を効率よく照明する。
　【００２６】
　このように、光ガイドにおける光閉じ込め効果は、照明光の拡散を抑え、所定の照明領域における光の利用効率を向上させる。
　【００２７】
　また、光ガイドに、光学フィルタ，反射鏡および集光体を一体的に設けたり、光ガイドそのものを光学フィルタ効果を有する透光性材料によって形成する構造は、光の利用効率を向上させるための部材を光ガイドに一体的に形成することを可能とし、製造工程の簡素化および品質の均一化を容易にする。
　【００２８】
　また、導光手段に光ガイドを用いない場合、透過率（反射率）に波長依存性を有する光学フィルタと特定の発光波長に対応した領域に反射あるいは透過特性を有する光学フィルタとを組み合わせて、個別の光源から発せられたそれぞれの照射光を透過あるいは反射させることによって、光の進行方向の整合および発光波長の選択を行う。
　【００２９】
　【実施例】
＜第一実施例＞
　図１は本発明の第一実施例のカラーイメージセンサの構成図、図２は三原色蛍光管および色素光学フィルタのスペクトル特性を示す図、図３は三原色照明光の波長特性を示す図、図４は三本の蛍光管の点灯タイミングチャートである。
　【００３０】
　第一実施例のカラーイメージセンサは、図１の如く、赤色，緑色，青色の三原色照明光の光源である三本の円筒型蛍光管２１ａ，２１ｂ，２１ｃから発せられるそれぞれの光を原稿ステージ２２に載置された原稿２３に照射する照明光学系Ａと、三原色照明光を原稿２３のライン領域に照射することにより生じた濃淡像（原稿像）の電気信号化入力を行うライン光電変換素子２５（例えばラインＣＣＤ）上に結像する読み取り光学系Ｂとからなる。
　【００３１】
　前記照明光学系Ａは、前記蛍光管２１ａ，２１ｂ，２１ｃと、該蛍光管２１ａ，２１ｂ，２１ｃから発せられるそれぞれの光を同一の角度で原稿２３に導く導光手段２４とからなる。
　【００３２】
　前記三本の蛍光管２１ａ，２１ｂ，２１ｃは、原稿ステージ２２の下方にそれぞれ平行に配され、直径１０ｍｍで、読み取り原稿１の最大幅に適応する長さ（Ａ３サイズ対応：３４０ｍｍ）を有している。また、この三本の蛍光管２１ａ，２１ｂ，２１ｃは、図２（ａ），（ｂ），（ｃ）の実線で示すようにそれぞれ赤色，緑色，青色の波長帯域に発光波長のピークを有する発光波長特性を有するものが用いられている。
　【００３３】
　前記導光手段２４は、三本の蛍光管２１ａ，２１ｂ，２１ｃからの照射光を進行方向に整合する光ガイド２７と、該光ガイド２７のそれぞれの光入射面２７ａ，２７ｂ，２７ｃに配され赤色，緑色，青色の波長帯域の光を透過させる色素光学フィルタ２８ａ，２８ｂ，２８ｃと、光ガイド２７の光出射面２７ｄに配され光の透過位置によって透過率の異なるＮＤ光学フィルタ２９とを備えている。
　【００３４】
　前記光ガイド２７は、透明のアクリル樹脂（屈折率：１．４９）を用いて射出成形法によって形成され、一本のガイドが三本に分岐した形状で、三本の蛍光管２１ａ，２１ｂ，２１ｃにそれぞれ対向配置された三つの光入射面２７ａ，２７ｂ，２７ｃと、該光入射面２７ａ，２７ｂ，２７ｃからの光が出射される一つの光出射面２７ｄとを有している。
　【００３５】
　前記色素光学フィルタ２８ａ，２８ｂ，２８ｃは、それぞれ図２の（ａ），（ｂ），（ｃ）の二点鎖線で示す透過特性を有する。赤色の透過特性を有する光学フィルタ２８ａは、蛍光管２１ａに対向する光ガイド２７の光入射面２７ａ上に色素を含む顔料インクを印刷することによって形成されている。また、緑色および青色の透過特性を有する光学フィルタ２８ｂ，２８ｃは、蛍光管２１ｂ，２１ｃに対向する光ガイド２７の光入射面２７ｂ，２７ｃ上に誘導体薄膜を多層蒸着することによって形成されている。
　【００３６】
　前記ＮＤ光学フィルタ２９は、光ガイド２７の光出射面２７ｄに一体的に印刷され、その長手方向の中央部の光透過率を端部の光透過率より低くして、原稿２３のライン領域の中央部の照度を端部より暗く照明するよう設定されている。
　【００３７】
　なお、光ガイド２７の光入射面２７ａ，２７ｂ，２７ｃおよび光出射面２７ｄへの各種光学フィルタの設置方法は、個々にガラス基板等に形成されたこれらの光学フィルタ２８ａ，２８ｂ，２８ｃを、光ガイド２７の所定の部分に張り付けるオーソドックスな方法を用いてもよい。
　【００３８】
　また、光ガイド２７の光出射面２７ｄにＮＤ光学フィルタ２９を配する構造に代えて、光入射面２７ａ，２７ｂ，２７ｃの各色素光学フィルタ２８ａ，２８ｂ，２８ｃをＮＤ光学フィルタ２９の透過率補正機能を加えた構造にしてもよい。三本の蛍光管２１ａ，２１ｂ，２１ｃおよび光ガイド２７は、光ガイド２７の光出射面２７ｄを除いて遮光性のケース３０に内装されており、三本の蛍光管２１ａ，２１ｂ，２１ｃから光ガイド２７に入力されない光の漏れを防止している。
　【００３９】
　前記読み取り光学系Ｂは、原稿２３のライン状領域の原稿像を反射させる三個の反射ミラー３１ａ，３１ｂ，３１ｃと、該反射ミラー３１ａ，３１ｂ，３１ｃを経た原稿像をラインＣＣＤ２５上へ約１／５倍に縮小結像する結像用レンズセット３２とからなる。
　【００４０】
　該結像用レンズセット３２には、図２の（ａ）の点線で示す分光透過特性を有する可視光透過光学フィルタ３３が配されている。この可視光透過光学フィルタ３３の分光透過特性と、蛍光管２１ａ，２１ｂ，２１ｃの発光波長特性および光学フィルタ２８ａ，２８ｂ，２８ｃの透過特性と併せて、図３に示した波長を有する三原色光の照明を可能にし、この照明光によりカラーイメージ像の読み取りに必要な原稿像を得ている。
　【００４１】
　また、結像用レンズセット３２によってラインＣＣＤ２５上に結像される原稿像の明るさは、一般的に光軸から遠い周辺部ほど暗くなるといった明るさの不均一が生じる。しかしながら、原稿像が結像用レンズセット３２に至る前段階において、照射光がＮＤ光学フィルタ２９を透過することにより、原稿像の中央部が端部より暗くなっている。このため、原稿像が結像用レンズセット３２を通過するときには、明るさが均一となり、レンズ特性に起因する明るさの不均一性を光学的に補正できる。
　【００４２】
　上記構成において、三本の蛍光管２１ａ，２１ｂ，２１ｃは、高周波点灯回路によって図４に示すタイミングにて順次点灯が繰り返される。
　【００４３】
　この三本の蛍光管２１ａ，２１ｂ，２１ｃから発せられた照射光は、それぞれ対向する色素光学フィルタ２８ａ，２８ｂ，２８ｃを透過することにより、赤色，緑色，青色の波長帯域のみ透過されて、カラーイメージ像の読み取りに必要な三原色の照明光が得られる。
　【００４４】
　この照明光は、光ガイド２７のそれぞれの光入射面２７ａ，２７ｂ，２７ｃから内部へ入射され、このうち光ガイド２７の側面に対して臨界角（４２．１６ｄｅｇ）以上の入射角度で入射する光は、光ガイド２７と外気大気中の屈折率差によって光ガイド２７の透明壁面で全反射され、光ガイド２７内部に閉じ込めらる。
　【００４５】
　そして、光ガイド２７内部の各色の照明光は、光ガイド２７の壁面にて全反射を繰り返すことにより進行方向が整えられた後、光ガイド２７の光出射面２７ｄを通過して、ほぼ同じ角度で原稿ステージ２２上に載置された読み取り原稿２３のライン状の領域に照射される。
　【００４６】
　この三原色の照明光によって照射された読み取り原稿２３のライン領域の原稿像は、原稿ステージ２２の直下の反射ミラー３１ａからミラー３１ｂさらにミラー３１ｃへとリレーされ、可視光透過光学フィルタ３３を透過した後、結像レンズセット３２によってラインＣＣＤ２５上に約１／５倍に縮小結像される。
　【００４７】
　このとき、原稿ステージ２２は、蛍光管２１ａ，２１ｂ，２１ｃの点灯周期に比較して十分ゆっくりとした一定の速度で走査方向（図１のＸ方向）へ移動している。このため、ラインＣＣＤ２５には、三原色の照明光によって照射されるライン状に切り取られた領域の原稿像が繰り返し結像される。
　【００４８】
　ラインＣＣＤ２５は、各蛍光管２１ａ，２１ｂ，２１ｃの点灯に同期して三原色照明光により照射された原稿像の読み取りを行い、この原稿像はそれぞれ時系列的な一連の電気信号に変換される。この電気信号に基づいて、二次元原稿の読み取りが行われる。
　【００４９】
　このように、赤色，緑色，青色の三原色照明光を原稿ステージ２２に載置された読み取り原稿２３に同一の角度で照射して、原稿像を読み取ることができる。このため、原稿２３に折り目や綴じ目等による原稿ステージ２２に密着しない部分があっても、原稿２３の面上における各照明光の照射位置が同一となり、光量バランスが崩れることはなく、読み取り像に色ずれが発生するのを防止できる。また、光ガイド２７における光閉じ込め効果は、照明光の拡散を抑え、原稿２３の所定の照明領域における光の利用効率を向上させる。
　【００５０】
　さらに、光学フィルタ２８ａ，２８ｂ，２８ｃおよびＮＤ光学フィルタ２９を光ガイド２７に一体的に設けることによって、個々の光学素子の位置合わせを伴う組み立て工程を簡略化することができる。
　【００５１】
＜第二実施例＞
　図５は第二実施例のカラーイメージセンサの構成図、図６は干渉膜光学フィルタのスペクトル特性を示す図である。なお、第一実施例と同様の機能を有する部材については、同符号を付す。
　【００５２】
　第二実施例のカラーイメージセンサは、図５の如く、照明光学系Ｃと、読み取り光学系Ｄとからなる。そして、照明光学系Ｃに、第一実施例と同様の蛍光管２１ａ，２１ｂ，２１ｃから発せられるそれぞれの光を同一の角度で原稿ステージ２２に載置された原稿２３に導く導光手段４０を備えている。
　【００５３】
　前記導光手段４０は、原稿ステージ２２の下方に配され、三本の蛍光管２１ａ，２１ｂ，２１ｃからの照射光を進行方向に整合する三個の光ガイド４２，４３，４４と、該光ガイド４２，４３に配され三本の蛍光管２１ａ，２１ｂ，２１ｃからの照射光をその波長帯域に応じて透過あるいは反射させる二種類の干渉膜光学フィルタ４５，４６と、光ガイド４４内の照射光を原稿ステージ２２の方向に反射させる反射鏡４７と、該反射鏡４７により反射された照射光を集光する集光体４８とからなる。
　【００５４】
　前記光ガイド４２は、図５の如く、その上面が赤色用の蛍光管２１ａに沿った円弧状の取付面４２ａとされ、下面が下方に突出した±４５度の傾斜面４２ｂ，４２ｃとされている。光ガイド４３は、光ガイド４２と同一形状で、その上面が光ガイド４２の傾斜面４２ｂ，４２ｃに対向配置された傾斜面４３ｂ，４３ｃとされ、下面が緑色用の蛍光管２１ｂに沿った円弧状の取付面４３ａとされている。
　【００５５】
　そして、光ガイド４２の傾斜面４２ｃと光ガイド４３の傾斜面４３ｃとの間には、青色用の蛍光管２１ｃが傾斜面４２ｃ，４３ｃに近接して配されている。
　【００５６】
　前記光ガイド４４は、光ガイド４２の傾斜面４２ｂに完全に密着された傾斜面４４ａと、光ガイド４３の傾斜面４３ｂに完全に密着された傾斜面４４ｂとを有し、原稿ステージ２２と平行に配されている。
　【００５７】
　前記干渉膜光学フィルタ４５は、光ガイド４２の傾斜面４２ｂおよび光ガイド４３の傾斜面４３ｃに誘電体薄膜の多層蒸着によって一体的に形成され、４５度の入射光に対して図６の（ａ）に示した分光透過（反射）特性を有する。また、干渉膜光学フィルタ４６は、光ガイド４２の傾斜面４２ｃおよび光ガイド４３の傾斜面４３ｂに誘電体薄膜の多層蒸着によって一体的に形成され、４５度の入射光に対して図６の（ｂ）に示した分光透過（反射）特性を有する。なお、図６中、実線（Ｔ）は透過率、破線（ｒ）は反射率を示す。
　【００５８】
　前記反射鏡４７は、光ガイド４４の傾斜面４４ａ，４４ｂと反対側の傾斜面４４ｃに金属膜を蒸着することによって形成されている。この反射鏡４７は、第一実施例のＮＤ光学フィルタ２９と同様の照度補正機能が付加され、光ガイド４４の長手方向において中央部と端部とで反射率が異なるよう調整されている。
　【００５９】
　前記集光体４８は、反射鏡４７の上方で光ガイド４４の上面の一部がシリンドリカルレンズ状に形成された集光レンズで、反射鏡４７からの照射光を原稿照明領域と直交する方向（図５中、Ｘ−Ｘ´方向）において集光し、照射光の指向性を高める。また、この集光レンズ４８の表面には、第一実施例の可視光透過光学フィルタと同様の分光透過特性（図６の（ｃ）参照）を有する可視光透過光学フィルタ４９が印刷によって一体的に配されている。
　【００６０】
　また、三本の蛍光管２１ａ，２１ｂ，２１ｃ、光ガイド４２，４３および光ガイド４４の傾斜面４４ａ，４４ｂの近傍は、遮光性ケース５０に収納されており、光ガイド４２，４３，４４に入射しない照射光の漏れを防止している。
　【００６１】
　前記読み取り光学系Ｄは、第一実施例の読み取り光学系Ｂから可視光透過光学フィルタ３３を除いた構成で、原稿２３のライン状領域の原稿像をラインＣＣＤ２５上へ縮小結像するよう形成されている。なお、他の構成は、第一実施例と同様である。
　【００６２】
　上記構成において、三本の蛍光管２１ａ，２１ｂ，２１ｃは、高周波点灯回路によって順次点灯が繰り返される。このうち赤色用の蛍光管２１ａから発せられた照射光の大部分は、光ガイド４２に入射し、その傾斜面４２ｂ，４２ｃの干渉膜光学フィルタ４５，４６へ到達する。
　【００６３】
　傾斜面４２ｂの光学フィルタ４５に当たった照射光は、光学フィルタ４５の分光特性に従ってその大部分が透過し、光ガイド４３の傾斜面４３ｂの光学フィルタ４６へ到達する。ここで、光学フィルタ４６の分光特性に従ってその大部分が光ガイド４４方向へ反射する。
　【００６４】
　一方、傾斜面４２ｃの光学フィルタ４６に当たった照射光は、光学フィルタ４６の分光特性に従ってその大部分が反射し、傾斜面４２ｂの光学フィルタ４５へ到達する。ここで、光学フィルタ４５の分光特性に従ってその大部分が光学フィルタ４５を透過し、光ガイド４４へ入射する。
　【００６５】
　緑色用の蛍光管２１ｂから発せられた照射光の大部分は、光ガイド４３に入射し、その傾斜面４３ｂ，４３ｃの光学フィルタ４５，４６へ到達する。
　【００６６】
　傾斜面４３ｂの光学フィルタ４６に当たった照射光は、光学フィルタ４６の分光特性に従ってその大部分が透過し、光ガイド４２の傾斜面４２ｂの光学フィルタ４５へ到達する。ここで、光学フィルタ４５の分光特性に従ってその大部分が光ガイド４４方向へ反射する。
　【００６７】
　一方、傾斜面４３ｃの光学フィルタ４５に当たった照射光は、光学フィルタ４５の分光特性に従ってその大部分が反射し、光学フィルタ４６へ到達する。ここで、光学フィルタ４６の分光特性に従ってその大部分が光学フィルタ４６を透過し、光ガイド４４へ入射する。
　【００６８】
　また、青色用の蛍光管２１ｂから発せられた照射光の大部分は、光ガイド４２の傾斜面４２ｃおよび光ガイド４３の傾斜面４３ｃの光学フィルタ４５，４６へ到達する。両光学フィルタ４５，４６に当たった照射光は、光学フィルタ４５，４６の分光特性に従ってその大部分が両フィルタ４５，４６を透過し、光ガイド４２および４３を経て再び光学フィルタ４５，４６を透過し、光ガイド４４へ入射する。
　【００６９】
　このように各蛍光管２１ａ，２１ｂ，２１ｃから発せられたそれぞれの照射光は、光学フィルタ４５，４６によって透過あるいは反射されて光ガイド４４に導かれるとともに、発光反射特性が所要の三原色波長域（図３参照）に選択されて三原色照明光となる。
　【００７０】
　そして、光ガイド４４へ入射した三原色照明光は、光ガイド４４の透明壁面にて全反射を繰り返すことによって、光ガイド４４内に閉じ込められて進行方向に整合される。その後、照明光は、反射鏡４７により照度が中央部と端部とで反射率が異なるよう調整されて原稿ステージ２２方向に反射される。この反射された照明光は、集光レンズ４８の可視光透過光学フィルタ４９により可視光のみ透過されて、集光レンズ４８により集光されて指向性が高まり、原稿ステージ２２に載置された原稿２３のライン状の領域に効率よく照明される。
　【００７１】
　この三原色の照明光によって照明された読み取り原稿２３のライン領域の原稿像は、反射ミラー３１ａ，３１ｂ，３１ｃおよび結像レンズセット３２を経てＣＣＤ２５上に縮小結像され、原稿ステージ２２のＸ方向の副走査とあわせて二次元原稿の読み取りが行われる。
　【００７２】
　このように、赤色，緑色，青色の三原色照明光を原稿ステージ２２に載置された読み取り原稿２３に同一の角度で照射して、原稿像を読み取ることができる。このため、第一実施例と同様に、読み取り像に色ずれが発生するのを防止できる。
　【００７３】
　また、蛍光管２１ａ，２１ｂ，２１ｃから発せられる光の照射方向を整合する光ガイド４２，４３，４４および光の指向性を高める集光レンズ４８により、三原色照明光を原稿２３の所定の領域へ効率よく照射することができる。
　【００７４】
　さらに、干渉膜光学フィルタ４５，４６を光ガイド４２，４３に、照度補正機能を有した反射鏡４７および光学フィルタ４９の形成された集光レンズ４８を光ガイド４４に一体的に設けることによって個々の光学素子の位置合わせを伴う組み立て工程を簡略化することができる。
　【００７５】
＜第三実施例＞
　図７は第三実施例の照明光学系の構成図、図８は干渉膜光学フィルタおよび可視光透過光学フィルタのスペクトル特性を示す図である。なお、第一および第二実施例と同様の機能を有する部材については同符号を付す。
　【００７６】
　第三実施例のカラーイメージセンサは、第二実施例の照明光学系Ｃの導光手段４０の構造をアレンジした導光手段６０を備えている。
　【００７７】
　この導光手段６０は、図７の如く、原稿ステージ２２の下方に配され、三本の蛍光管２１ａ，２１ｂ，２１ｃからの照射光を進行方向に整合する三個の光ガイド６１，６２，６３と、該光ガイド６１，６２，６３に配され三本の蛍光管２１ａ，２１ｂ，２１ｃからの照射光をその波長帯域に応じて透過あるいは反射させる干渉膜光学フィルタ６４，６５および色素光学フィルタ６６と、光ガイド６１に形成され照射光を集光する集光体（集光レンズ）６７とからなる。
　【００７８】
　前記光ガイド６１は、その上面に照度補正機能が付加された第二実施例の集光レンズと同様の集光レンズ６７が一体的に形成され、長手方向の側面が青色用の蛍光管２１ｃに沿った円弧状の取付面６１ａとされ、下面は干渉膜光学フィルタ６４が誘電体薄膜の多層蒸着により形成されたフィルタ面６１ｂとされ、青色用の蛍光管２１ｃに対して４５度の傾斜を有している。
　【００７９】
　前記光ガイド６２は、その上面が光ガイド６１のフィルタ面６１ｂに完全に密着された傾斜面６２ａとされ、長手方向の側面が緑色用の蛍光管２１ｂに沿った円弧状の取付面６２ｂとされ、下面は干渉膜光学フィルタ６５が誘電体薄膜の多層蒸着により形成させたフィルタ面６２ｃとされ、緑色用の蛍光管２１ｂに対して４５度の傾斜を有している。
　【００８０】
　前記光ガイド６３は、その上面が光ガイド６２のフィルタ面６２ｃに完全に密着された傾斜面６３ａとされ、下面が色素フィルタ６６の印刷され赤色用の蛍光管２１ａに沿った円弧状の取付面６３ｂとされている。
　【００８１】
　前記干渉膜光学フィルタ６４，６５および色素光学フィルタ６６は、それぞれ図８の（ａ），（ｂ），（ｃ）の分光特性を有している。なお、図８の（ｄ）は、集光レンズ６７に印刷された光学フィルタ４９の透過特性を示しており、その他の構成は第二実施例と同様である。
　【００８２】
　上記構成において、三本の蛍光管２１ａ，２１ｂ，２１ｃから発せられる照射光は、干渉膜光学フィルタ６４，６５の分光特性および色素光学フィルタ６６の波長透過特性に従って透過あるいは反射され、進行方向に整合されるとともにその発光波長特性が三原色照明光の波長帯域（図３の分光特性）に選択される。
　【００８３】
　そして、集光レンズ６７の可視光透過光学フィルタ４９より可視光のみ透過されて、集光レンズ６７により集光されて指向性が高まり、原稿ステージ２２に載置された原稿２３のライン状の領域に効率よく照明される。その後、第二実施例と同様に二次元原稿の読み取りが行われ、第二実施例と同様の効果を得ることができる。
　【００８４】
＜第四実施例＞
　図９は第四実施例のカラーイメージセンサの構成図である。なお、第一実施例と同様の機能を有する部材については、同符号を付す。
　【００８５】
　第四実施例のカラーイメージセンサは、図９の如く、照明光学系Ｅと、読み取り光学系Ｂとからなる。そして、照明光学系Ｅに、第一実施例と同様の蛍光管２１ａ，２１ｂ，２１ｃから発せられるそれぞれの光を同一の角度で原稿ステージ２２に載置された原稿２３に照射するよう導く導光手段７０を備えている。
　【００８６】
　前記導光手段７０は、原稿ステージ２２の下方に配された第二実施例の干渉膜光学フィルタ４５，４６と同様の特性を有する干渉膜光学フィルタ７１，７２と、該干渉膜光学フィルタ７１，７２により透過あるいは反射された三本の蛍光管２１ａ，２１ｂ，２１ｃからの照射光を集光する集光体７３とからなる。
　【００８７】
　前記干渉膜光学フィルタ７１は、原稿ステージ２２と平行に走査方向（図９のＸ−Ｘ´方向）に二枚配され、干渉膜光学フィルタ７２は、二枚の光学フィルタ７１に互い直交するよう上下方向に二枚配されている。干渉膜光学フィルタ７１，７２は、十字状となり、四個に区切られた仕切り部７４ａ，７４ｂ，７４ｃ，７４ｄを形成している。
　【００８８】
　この仕切り部７４ａ，７４ｂ，７４ｃ，７４ｄのうち下側の図９のＸ´方向の仕切り部７４ａには、赤色用の蛍光管２１ａが干渉膜光学フィルタ７１，７２に近接するよう取り付けられ、下側の図９のＸ方向の仕切り部７４ｂには、青色用の蛍光管２１ｃが同じく取り付けられ、上側のＸ方向の仕切り部７４ｃには、緑色用の蛍光管２１ｂが同じく取り付けられている。
　【００８９】
　また、上側の図９のＸ´方向の仕切り部７４ｄには、前記集光体７３が干渉膜光学フィルタ７１，７２に対して４５度の角度で配置されている。この集光体７３は、照度補正機能を有したシリンドカルレンズである。
　【００９０】
　なお、三本の蛍光管２１ａ，２１ｂ，２１ｃの干渉膜光学フィルタ７１，７２に対向していない面は、遮光性の黒色テープ７５でシールドされており、フィルタ７１，７２によって方向および波長帯域が調整されていない光が原稿２３の面上に照射されるのを低減している。
　【００９１】
　上記構成において、三本の蛍光管２１ａ，２１ｂ，２１ｃから発せられる照射光は、干渉膜光学フィルタ７１，７２の分光特性に従って透過あるいは反射され、図９の矢印Ｗの方向へその進行方向が整合されるとともに、その分光特性が三原色照明光の所定の波長帯域（図３の分光特性）に選択される。
　【００９２】
　矢印Ｗ方向へ整合された各照明光は、シリンドカルレンズ７３によって原稿照明領域と直交する方向（図９中、Ｘ−Ｘ´方向）に集光されて指向性が高まり、原稿ステージ２２に載置された原稿２３のライン状の領域に効率よく照明される。その後、第一実施例と同様に二次元原稿の読み取りが行われる。
　【００９３】
　このように、第一実施例と同様に読み取り像に色ずれが発生するのを防止でき、シリンドカルレンズ７３により蛍光管２１ａ，２１ｂ，２１ｃから発せられる光を集光して指向性を高め、三原色照明光を原稿２３の所定の領域へ効率よく照射することができる。
　【００９４】
＜第五実施例＞
　図１０は第五実施例の照明光学系の構成図である。なお、第一実施例と同様の機能を有する部材については同符号を付す。
　【００９５】
　第五実施例のカラーイメージセンサは、第四実施例の照明光学系Ｅの導光手段７０の構造をアレンジした導光手段８０を備えている。
　【００９６】
　該導光手段８０は、図１０の如く、原稿ステージ２２の下方に配された第三実施例の干渉膜光学フィルタと同様の特性を有する干渉膜光学フィルタ８１，８２および色素光学フィルタ８３と、該干渉膜光学フィルタ８１，８２および色素光学フィルタ８３により透過あるいは反射された三本の蛍光管２１ａ，２１ｂ，２１ｃからの照射光を集光する集光体８６とからなる。
　【００９７】
　前記干渉膜光学フィルタ８１，８２は、緑色用および青色用の蛍光管２１ｂ，２１ｃに対して４５度の角度を有して配されている。色素光学フィルタ８３は、赤色用の蛍光管２１ａの発光方向側に近接して配されている。
　【００９８】
　なお、三本の蛍光管２１ａ，２１ｂ，２１ｃの干渉膜光学フィルタ８１，８２に対向していない面は、遮光性の黒色テープ８４でシールドされており、さらに、緑色用および青色用の蛍光管２１ｂ，２１ｃの両側で該蛍光管２１ｂ，２１ｃに平行となるように三枚の遮光板８５が配されている。これは、フィルタ８１，８２，８３によって方向および波長帯域が調整されていない光が原稿２３の面上に照射されるのを低減している。なお、その他の構成は、第四実施例と同様である。
　【００９９】
　上記構成において、三本の蛍光管２１ａ，２１ｂ，２１ｃから発せられる照射光は、干渉膜光学フィルタ８１，８２の分光特性および色素光学フィルタ８３の波長透過特性に従って透過あるいは反射され、図１０の矢印Ｗの方向へその進行方向が整合されるとともに、その分光特性が三原色照明光の所定の波長帯域（図３の分光特性）に選択される。
　【０１００】
　矢印Ｗ方向へ整合された各照明光は、シリンドカルレンズ８６によって原稿照明領域と直交する方向（図１０中、Ｘ−Ｘ´方向）に集光されて指向性が高まり、原稿ステージ２２に載置された原稿２３のライン状の領域に効率よく照明される。その後、第一実施例と同様に二次元原稿の読み取りが行われ、第四実施例と同様の効果を得ることができる。
　【０１０１】
　また、シリンドカルレンズ８６により蛍光管２１ａ，２１ｂ，２１ｃから発せられる光を集光して指向性を高め、三原色照明光を原稿２３の所定の領域へ効率よく照射することができる。
　【０１０２】
　なお、本発明は、上記実施例に限定されるものではなく、本発明の範囲内で上記実施例に多くの修正および変更を加え得ることは勿論である。
　【０１０３】
　例えば、第一ないし第五実施例において、原稿ステージ２２に載置された透過型の原稿を読み取る場合には、照明光学系Ａ，Ｃ，Ｅを図１，５，９の点線に示す原稿ステージ２２の上方に設置してもよい。
　【０１０４】
　第一実施例において、可視光透過光学フィルタ３３を結像用レンズセット３２に一体的に配する構造に代えて、可視光透過光学フィルタ３３と同様の分光透過特性を有する光学フィルタを光ガイド２７の光出射面２７ｄのＮＤ光学フィルタ２９に重ねて印刷することによって一体的に形成する構造、あるいは、光ガイド２７自体を可視光透過光学フィルタ３３の分光透過特性を有する樹脂材料によって形成する構造でもよい。
　【０１０５】
　第二実施例において、集光レンズ４８の表面に配された分光透過特性を有する可視光透過光学フィルタ４９の代わりに、光ガイド４４自体を可視光透過光学フィルタ４９と同様の分光透過特性を有する材料にて形成する構造でもよい。
　【０１０６】
　第一ないし第五実施例において、各光源および各光学フィルタの組み合わせによって得られるカラーイメージ像の読み取りに必要な三原色照明光の波長帯域は、図３に示された波長帯域に限定されるものではなく、例えば、図１１の（ａ）に示した如く、赤外帯域においてある程度の放射強度を有する場合や、（ｂ）に示した如く、各色の帯域が狭い場合等、読み取る原稿の色の再現が可能な範囲内で変更してもよい。
　【０１０７】
　また、三原色の照明光を得るための各光源および各光学フィルタは、各実施例において示した波長特性（図２，６，８参照）および構成に限定されるものではない。例えば、各実施例において用いられている赤色用の蛍光管２１ａに代えて、図１２に示すような、プリント配線基盤９０上に赤色発光（例えば発光波長６６０ｎｍ）のチップ型ダイオードランプ９１がアレイ状に実装された構造のＬＥＤライン光源ユニット９２を赤色光源として用いてもよい。
　【０１０８】
　この場合には、各実施例において用いられている三原色の赤色を透過する色素光学フィルタを省略することができる。同様に、緑色，青色用の蛍光管２１ｂ，２１ｃに代えて、それぞれ緑色，青色の発光ダイオードを用いたＬＥＤライン光源ユニットを使用し、緑色，青色を透過するそれぞれの光学フィルタを省略した構造としてもよい。このように、光源や光学フィルタの特性や構成に変更を加えた場合においても、結果的に上記のような三原色の照明光が得られる構造とすればよい。
　【０１０９】
　さらに、第一ないし第五実施例において、静止した原稿２３に対して、三原色光源が移動する構造としてもよい。また、三原色光源を時分割的に照射して原稿２３を読み取らず、各色の光源毎に原稿２３の読み取りを行ってもよい。
　【０１１０】
　【発明の効果】
　以上の説明から明らかな通り、本発明によると、個別の三原色光源から発せられる照射光が、各種光学フィルタによりカラーイメージ像の読み取りに必要な三原色の照明光とされて、原稿に同一の角度で照明される。このため、原稿に折り目や綴じ目等が生じていても、原稿の面上における各照明光の照射位置が同一となり、光量バランスが崩れることはなく、読み取り像に色ずれが発生するのを防止できる。
　【０１１１】
　そして、それぞれの照明光は、光ガイド、反射鏡により進行方向に整合されて光ガイドに閉じ込められる。この閉じ込め効果は、照明光の拡散を抑え、所定の照明領域における光の利用効率を向上させる。
　【０１１２】
　また、それぞれの照明光は、集光体により指向性が高められるため、原稿の所定の領域への効率のよい照射が可能となる。
　【０１１３】
　さらに、各種光学フィルタ，集光体，反射鏡を透光性を有する光ガイドに一体的に設け、さらに光ガイドを樹脂形成することによって、個々の光学素子の位置合わせを伴う組み立て工程を簡略化することができるといった優れた効果がある。
【図面の簡単な説明】
　【図１】
　本発明の第一実施例のカラーイメージセンサの構成図
　【図２】
　三原色蛍光管および色素光学フィルタのスペクトル特性を示す図
　【図３】
　三原色照明光の波長特性を示す図
　【図４】
　三本の蛍光管の点灯タイミングチャート
　【図５】
　第二実施例のカラーイメージセンサの構成図
　【図６】
　干渉膜光学フィルタのスペクトル特性を示す図
　【図７】
　第三実施例の照明光学系の構成図
　【図８】
　干渉膜光学フィルタおよび可視光透過光学フィルタのスペクトル特性を示す図
　【図９】
　第四実施例のカラーイメージセンサの構成図
　【図１０】
　第五実施例の照明光学系の構成図
　【図１１】
　その他の三原色照明光の波長特性を示す図
　【図１２】
　発光ダイオードを用いたライン光源ユニットの斜視図
　【図１３】
　従来のカラーイメージセンサの構成図
　【図１４】
　従来のカラーイメージセンサにおいて原稿ステージに密着しない原稿への照射状態を示す図
　【符号の説明】
　　　　２１ａ，２１ｂ，２１ｃ　　　三原色光源
　　　　　　　　　　　　２３　　　　原稿
２４，４０，６０，７０，８０　　　　導光手段
　　　　　　　　　　　　２５　　　　光電変換素子
　　　２７，４２，４３，４４
　　　　　　６１，６２，６３　　　　光ガイド
　　　　２８ａ，２８ｂ，２８ｃ
　　　　　　　　　６６，８３　　　　色素光学フィルタ
　　　　　　　　　３３，４９　　　　可視光透過光学フィルタ
　　　４５，４６，６４，６５
　　　７１，７２，８１，８２　　　　光学フィルタ
　　　　２７ａ，２７ｂ，２７ｃ　　　光入射面
　　　　　　　　　　　　２７ｄ　　　光出射面
　　　　　　　　　　　　４７　　　　反射鏡
　　　　　　　　　４８，６７　　　　集光レンズ
　　　　　　　　　７３，８６　　　　シリンドカルレンズ